(57)【要約】【課題】様々なデザイン性を付与することができるキッチンカウンターを提供する。【解決手段】キッチンカウンター１は、光透過性を有する樹脂板２と、樹脂板２の裏側に積層されるガラスクロス３と、樹脂板２とガラスクロス３の間に位置し、樹脂板２とガラスクロス３を接着させる接着層４とを備える。接着層４は、色の付いた柄材５を含む。【選択図】図１
2018011806.tif 000002
【特許請求の範囲】
【請求項１】
光透過性を有する樹脂板と、
前記樹脂板の裏側に積層されるガラスクロスと、
前記樹脂板と前記ガラスクロスの間に位置し、前記樹脂板と前記ガラスクロスを接着させる接着層とを備え、
前記接着層は、色の付いた柄材を含むことを特徴とするキッチンカウンター。
【請求項２】
光透過性を有する樹脂板と、
前記樹脂板の裏側に積層されるガラスクロスと、
前記樹脂板と前記ガラスクロスの間に位置し、前記樹脂板と前記ガラスクロスを接着させる接着層とを備え、
前記接着層は、蛍光性を有することを特徴とするキッチンカウンター。
【請求項３】
光透過性を有する樹脂板と、
前記樹脂板の裏側に積層されるガラスクロスと、
前記樹脂板と前記ガラスクロスの間に位置し、前記樹脂板と前記ガラスクロスを接着させる接着層とを備え、
前記接着層は、光透過性を有し、
前記ガラスクロスには、柄が印刷されていることを特徴とするキッチンカウンター。
【請求項４】
前記接着層は、弾性を有することを特徴とする請求項１乃至３のいずれか１項に記載のキッチンカウンター。
【請求項５】
前記接着層は、防カビ剤を含むことを特徴とする請求項１乃至４のいずれか１項に記載のキッチンカウンター。
【発明の詳細な説明】
【技術分野】
【０００１】
本発明は、キッチンカウンターに関する。
【背景技術】
【０００２】
特許文献１には、キッチンカウンター等に用いられる成形品として、樹脂組成物の硬化物の裏面にガラスクロスが一体に成形されたものが記載されている。
【０００３】
特許文献１に記載の成形品は、樹脂組成物の硬化物の裏面にガラスクロスが一体に設けられることで、耐衝撃強度を確保したうえで、薄型化を図ることができる。
【先行技術文献】
【特許文献】
【０００４】
【特許文献１】特開２００１−２６９９４８号公報
【発明の概要】
【発明が解決しようとする課題】
【０００５】
ところで、特許文献１に記載の成形品では、樹脂組成物の硬化物が薄くて光透過性を有する場合があるが、ガラスクロスが透けて視えるだけで、デザイン性に乏しい。
【０００６】
上記事情に鑑みて、本発明は、様々なデザイン性を付与することができるキッチンカウンターを提供することを、目的とする。
【課題を解決するための手段】
【０００７】
本発明に係る一態様のキッチンカウンターは、光透過性を有する樹脂板と、前記樹脂板の裏側に積層されるガラスクロスと、前記樹脂板と前記ガラスクロスの間に位置し、前記樹脂板と前記ガラスクロスを接着させる接着層とを備える。前記接着層は、色の付いた柄材を含む。
【０００８】
また、本発明に係る他の一態様のキッチンカウンターは、光透過性を有する樹脂板と、前記樹脂板の裏側に積層されるガラスクロスと、前記樹脂板と前記ガラスクロスの間に位置し、前記樹脂板と前記ガラスクロスを接着させる接着層とを備える。前記接着層は、蛍光性を有する。
【０００９】
また、本発明に係る他の一態様のキッチンカウンターは、光透過性を有する樹脂板と、前記樹脂板の裏側に積層されるガラスクロスと、前記樹脂板と前記ガラスクロスの間に位置し、前記樹脂板と前記ガラスクロスを接着させる接着層とを備える。前記接着層は、光透過性を有する。前記ガラスクロスには、柄が印刷されている。
【発明の効果】
【００１０】
本発明は、様々なデザイン性を付与することができるキッチンカウンターを提供することができるといった効果を奏する。
【図面の簡単な説明】
【００１１】
【図１】図１は、本発明に係る実施形態１のキッチンカウンターを示す断面図である。
【図２】図２は、本発明に係る実施形態２のキッチンカウンターを示す断面図である。
【図３】図３は、本発明に係る実施形態３のキッチンカウンターを示す断面図である。
【発明を実施するための形態】
【００１２】
本発明は、キッチンカウンターに関し、より詳細には、樹脂板の裏側にガラスクロスが一体に設けられたキッチンカウンターに関する。
【００１３】
（実施形態１）
図１には、実施形態１のキッチンカウンター１が示されている。
【００１４】
キッチンカウンター１は、光透過性を有する樹脂板２と、樹脂板２の裏側に積層されるガラスクロス３と、樹脂板２とガラスクロス３の間に位置し、樹脂板２とガラスクロス３を接着させる接着層４とを備える。接着層４は、色の付いた柄材５を含む。
【００１５】
樹脂板２は、熱硬化性樹脂に、充填剤、硬化剤等の添加物を混合した樹脂組成物の硬化物である。樹脂組成物は、例えば、ビニルエステル樹脂１００質量部に対して、水酸化アルミニウム１５０〜２００質量部を混合し、硬化剤を適量添加することで形成される。樹脂板２は、上記の樹脂組成物を、金型に入れて加熱硬化することによって、所定の形状に形成される。
【００１６】
樹脂板２は、樹脂板２を通じて接着層４が透けて視える程度の、光透過性を有する。樹脂板２の全光線透過率は、例えば、３０〜７０％である。樹脂板２の厚みは、４ｍｍ以上６ｍｍ以下である。
【００１７】
ガラスクロス３は、樹脂板２を補強するための補強用シートである。ガラスクロス３の厚みは、０．５ｍｍ程度である。ガラスクロス３は、例えば、白色である。
【００１８】
接着層４は、エポキシ樹脂やウレタン樹脂を主成分とする接着剤が硬化した層である。接着層４の厚みは、１．０ｍｍ程度である。
【００１９】
柄材５は、接着剤に混ぜ合わせて用いられる、色の付いた多数の粒子である。多数の粒子それぞれの粒径は、１．０ｍｍよりも小さい。柄材５として用いられる多数の粒子の粒径及び色は、適宜選択可能である。
【００２０】
柄材５は、例えば、着色されたウレタン等の樹脂を粉砕することで形成される。この場合、多数の粒子には、様々な粒径の粒子が含まれ、多数の粒子は、互いに同色である。
【００２１】
本実施形態のキッチンカウンター１は、例えば、以下のようにして製造される。
【００２２】
まず、樹脂板２が、金型で所定の形状に成形される。次いで、樹脂板２の裏面に、柄材５が混ぜ合わさった接着剤が塗布される。次いで、この接着剤を介して、樹脂板２の裏側にガラスクロス３が貼り合わせられる。次いで、接着剤を硬化させ、樹脂板２とガラスクロス３との間に接着層４を形成する。
【００２３】
本実施形態のキッチンカウンター１によれば、樹脂板２を通じて接着層４が透けて視えるものの、接着層４には柄材５によって柄が付けられている。柄材５としては、様々な粒径の粒子や、様々な色の粒子を利用可能である。したがって、本実施形態のキッチンカウンター１は、様々なデザイン性を付与することが可能である。
【００２４】
（変更例）
以上説明した実施形態１のキッチンカウンター１は、下記の変更例を採用可能である。
【００２５】
接着層４は、弾性を有してもよい。この場合、接着層４を形成する接着剤は、ウレタンフォーム接着剤等の発泡性を有する接着剤や、ゴム系の接着剤である。
【００２６】
接着層４は、防カビ剤を含んでもよい。この場合、接着層４は、防カビ剤が混ぜ合せられた接着剤が硬化することで形成される。
【００２７】
また、接着層４は、弾性を有し、かつ防カビ剤を含んでもよい。
【００２８】
（実施形態２）
続いて、図２に示す実施形態２のキッチンカウンター１について説明する。以下では、実施形態１のキッチンカウンター１と同様の構成については、図中に同一の符号を付して詳しい説明を省略し、異なる構成について詳しく説明する。
【００２９】
本実施形態のキッチンカウンター１は、光透過性を有する樹脂板２と、樹脂板２の裏側に積層されるガラスクロス３と、樹脂板２とガラスクロス３の間に位置し、樹脂板２とガラスクロス３を接着させる接着層４とを備える。接着層４は、蛍光性を有する。
【００３０】
接着層４を形成する接着剤は、例えば、エポキシ樹脂やウレタン樹脂を主成分とする接着剤に、蛍光顔料を混合したものである。接着層４の厚みは、１．０ｍｍ程度である。蛍光顔料の色は、適宜選択可能である。なお、接着層４を形成する接着剤は、蛍光顔料を混合したものに限らず、その他の手段で、蛍光性を付与したものでもよい。
【００３１】
本実施形態のキッチンカウンター１の製造の手順は、実施形態１のキッチンカウンター１と同様である。
【００３２】
本実施形態のキッチンカウンター１によれば、樹脂板２を通じて接着層４が透けて視えるものの、接着層４が蛍光する。接着層４の蛍光する色は、適宜変更可能である。したがって、本実施形態のキッチンカウンター１は、様々なデザイン性を付与することが可能である。
【００３３】
（変更例）
以上説明した実施形態２のキッチンカウンター１は、実施形態１のキッチンカウンター１と同様の変更例を採用可能である。つまり、接着層４は、弾性を有してもよいし、防カビ剤を含んでもよいし、弾性を有しかつ防カビ剤を含んでもよい。
【００３４】
また、接着層４は、色の付いた柄材５を含んでもよい。
【００３５】
（実施形態３）
続いて、図３に示す実施形態３のキッチンカウンター１について説明する。以下では、実施形態１のキッチンカウンター１と同様の構成については、図中に同一の符号を付して詳しい説明を省略し、異なる構成について詳しく説明する。
【００３６】
本実施形態のキッチンカウンター１は、光透過性を有する樹脂板２と、樹脂板２の裏側に積層されるガラスクロス３と、樹脂板２とガラスクロス３の間に位置し、樹脂板２とガラスクロス３を接着させる接着層４とを備える。接着層４は、光透過性を有する。ガラスクロス３には、柄が印刷されている。
【００３７】
接着層４を形成する接着剤は、エポキシ樹脂やウレタン樹脂を主成分とする接着剤であり、光透過性を有する。ここで、接着層４は、樹脂板２及び接着層４を介してガラスクロス３が視える程度の光透過性を有する。接着層４の厚みは、１．０ｍｍ程度である。
【００３８】
ガラスクロス３は、樹脂板２に対向する側の面に柄が印刷されて、この面に印刷層６が積層されている。ガラスクロス３に印刷される柄は、適宜選択可能である。
【００３９】
本実施形態のキッチンカウンター１の製造の手順は、実施形態１のキッチンカウンター１と同様である。本実施形態では、ガラスクロス３として、樹脂板２に対向する側の面に、印刷層６が積層されたガラスクロスが用いられる。
【００４０】
本実施形態のキッチンカウンター１によれば、樹脂板２及び接着層４を通じて、ガラスクロス３の表面の印刷層６が透けて視える。ここで、印刷層６の柄は、適宜選択可能である。したがって、本実施形態のキッチンカウンター１は、様々なデザイン性を付与することが可能である。
【００４１】
また、本実施形態のキッチンカウンター１によれば、樹脂板２と印刷層６との間に接着層４が介在することで、接着層４によるデザイン面や機能面での向上を図ることも可能である。
【００４２】
（変更例）
以上説明した実施形態３のキッチンカウンター１は、実施形態１，２のキッチンカウンター１と同様の変更例を採用可能である。つまり、接着層４は、弾性を有してもよいし、防カビ剤を含んでもよいし、弾性を有しかつ防カビ剤を含んでもよい。
【００４３】
また、接着層４は、光透過性を有したうえで、色の付いた柄材５を含んでもよいし、蛍光性を有してもよいし、柄材５を含みかつ蛍光性を有してもよい。
【００４４】
（各実施形態の効果）
以上説明した実施形態１のキッチンカウンター１は、光透過性を有する樹脂板２と、樹脂板２の裏側に積層されるガラスクロス３と、樹脂板２とガラスクロス３の間に位置し、樹脂板２とガラスクロス３を接着させる接着層４とを備える。接着層４は、色の付いた柄材５を含む。
【００４５】
したがって、実施形態１のキッチンカウンター１によれば、光透過性を有する樹脂板２を通じて、色の付いた柄材５を含んだ接着層４が透けて視えることで、キッチンカウンター１にデザイン性を付与することができる。ここで、接着層４に含まれる柄材５は、適宜選択可能であるため、実施形態１のキッチンカウンター１によれば、様々なデザイン性を付与されたキッチンカウンター１を提供することができる。
【００４６】
また、以上説明した実施形態２のキッチンカウンター１は、光透過性を有する樹脂板２と、樹脂板２の裏側に積層されるガラスクロス３と、樹脂板２とガラスクロス３の間に位置し、樹脂板２とガラスクロス３を接着させる接着層４とを備える。接着層４は、蛍光性を有する。
【００４７】
したがって、実施形態２のキッチンカウンター１によれば、光透過性を有する樹脂板２を通じて、蛍光性を有する接着層４が透けて視えることで、キッチンカウンター１にデザイン性を付与することができる。ここで、接着層４の蛍光する色は、適宜選択可能であるため、実施形態２のキッチンカウンター１によれば、様々なデザイン性を付与されたキッチンカウンター１を提供することができる。
【００４８】
また、以上説明した実施形態３のキッチンカウンター１は、光透過性を有する樹脂板２と、樹脂板２の裏側に積層されるガラスクロス３と、樹脂板２とガラスクロス３の間に位置し、樹脂板２とガラスクロス３を接着させる接着層４とを備える。接着層４は、光透過性を有する。ガラスクロス３には、柄が印刷されている。
【００４９】
したがって、実施形態３のキッチンカウンター１によれば、光透過性を有する樹脂板２と接着層４を通じて、柄が印刷されたガラスクロス３が透けて視えることで、キッチンカウンター１にデザイン性を付与することができる。ここで、ガラスクロス３の柄は、適宜選択可能であるため、実施形態３のキッチンカウンター１によれば、様々なデザイン性を付与されたキッチンカウンター１を提供することができる。
【００５０】
さらに、実施形態１〜３のキッチンカウンター１では、下記の構成を付加的に備える。すなわち、実施形態１〜３のキッチンカウンター１では、接着層４は、弾性を有する。
【００５１】
したがって、実施形態１〜３のキッチンカウンター１では、接着層４が弾性を有することで、衝撃吸収性が高くなり、樹脂板２に割れが生じにくい。
【００５２】
さらに、実施形態１〜３のキッチンカウンター１では、下記の構成を付加的に備える。すなわち、実施形態１〜３のキッチンカウンター１では、接着層４は、防カビ剤を含む。
【００５３】
したがって、実施形態１〜３のキッチンカウンター１では、接着層４にカビが生じることで、デザイン性が悪化することを抑制できる。
【００５４】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００５５】
１      キッチンカウンター
２      樹脂板
３      ガラスクロス
４      接着層
５      柄材
【図１】
2018011806.tif 000003
【図２】
2018011806.tif 000004
【図３】
2018011806.tif 000005